(57)【特許請求の範囲】
【請求項１】
透明又は半透明の絶縁性樹脂製チューブを覆う帯電防止カバーであって、
導電性物質を含む樹脂組成物からなり、前記チューブに外嵌可能な筒状のカバー本体を備え、
前記カバー本体が、第１分断部及び第２分断部が形成されるように周方向の一箇所で分断されて、前記第１分断部及び前記第２分断部を近接又は離間させるように弾性変形可能とされ、
前記カバー本体が、前記第１分断部と前記第２分断部とを離間させるように弾性変形して、前記チューブを前記第１分断部と前記第２分断部との間を通過させ得るように構成されるとともに、
前記カバー本体が、前記第１分断部を前記カバー本体の径方向に貫通する複数の第１切欠部と、前記第２分断部を前記カバー本体の径方向に貫通する複数の第２切欠部とを有し、前記チューブに外嵌されたときに前記複数の第１切欠部及び前記複数の第２切欠部を介して前記チューブの一部を露出させることができるように構成され、
前記複数の第１切欠部と前記複数の第２切欠部とが、前記カバー本体の軸心方向に延びる周方向中間線を挟んで対称に設けられていることを特徴とする帯電防止カバー。
【請求項２】
前記カバー本体が、前記カバー本体の径方向に貫通する複数の貫通孔を有し、前記チューブに外嵌されたときに前記複数の貫通孔を介して前記チューブの一部を露出させることができるように構成されていることを特徴とする請求項１に記載の帯電防止カバー。
【請求項３】
前記カバー本体が、前記第１分断部と前記第２分断部とを重なり合わせた状態で筒状に形成されていることを特徴とする請求項１又は請求項２に記載の帯電防止カバー。
【請求項４】
前記複数の切欠部のうちの少なくとも一つの切欠部の閉塞部に、アール加工が施されていることを特徴とする請求項１から請求項３のいずれか一項に記載の帯電防止カバー。
【請求項５】
前記複数の切欠部のそれぞれの開口縁に、面取り加工が施されていることを特徴とする請求項１から請求項４のいずれか一項に記載の帯電防止カバー。
【発明の詳細な説明】
【技術分野】
【０００１】
本発明は、絶縁性樹脂製チューブの帯電を防止するための帯電防止カバーに関する。
【背景技術】
【０００２】
従来、有機溶剤等の可燃性流体（電気絶縁流体）が絶縁性樹脂製チューブ内を流れる場合、前記可燃性流体と前記チューブとの摩擦により前記チューブが帯電しやすくなっていた。また、絶縁性樹脂製チューブが用いられる工場等のクリーンルーム用の手袋などで絶縁性樹脂製チューブがこすられた場合でも、前記チューブが帯電しやすくなっていた。
【０００３】
そこで、絶縁性樹脂製チューブの帯電を防止するための帯電防止手段として、絶縁性樹脂製チューブに導電性を付与すべく、グラファイト又は金属微粉末等の導電性物質を前記チューブに設ける手段が採用されていた。例えば、特許文献１に記載のフッ素樹脂製チューブ（絶縁性樹脂製チューブ）においては、視認性の確保のために透明部分からなるチューブ本体の外周面に、導電性物質を含む導電部分が設けられていた。
【０００４】
しかしながら、特許文献１に記載のフッ素樹脂製チューブにおいては、前記導電部分が前記チューブ本体の長手方向に沿ってストライプ状に延設されていたので、前記チューブの設置状況によっては、可燃性流体の流量が少ない場合に、この可燃性流体に対し前記チューブの必要箇所に前記導電部分を位置させることができず、帯電防止機能を十分に発揮させることができないおそれがあった。
【０００５】
そのうえ、特許文献１に記載の技術は、前記チューブに導電性物質を含有させる構成を用いるものであるため、すなわち前記チューブそのものに導電性をもたせる構成を用いるものであるため、フッ素樹脂（絶縁性樹脂）のみからなる既存のチューブに対して帯電防止機能を付与することができるものではなかった。
【先行技術文献】
【特許文献】
【０００６】
【特許文献１】特開２００３−４１７６号公報
【発明の概要】
【発明が解決しようとする課題】
【０００７】
本発明は、このような事情に鑑みてなされたものであり、絶縁性樹脂製チューブを覆う際に前記チューブの内部の視認性を確保しつつ前記チューブの帯電防止の確実性を高めることができ、かつ、前記チューブへの着脱の容易化を図ることができる帯電防止カバーの提供を目的とする。
【課題を解決するための手段】
【０００８】
請求項１に係る発明は、透明又は半透明の絶縁性樹脂製チューブを覆う帯電防止カバーであって、導電性物質を含む樹脂組成物からなり、前記チューブに外嵌可能な筒状のカバー本体を備え、前記カバー本体が、第１分断部及び第２分断部が形成されるように周方向の一箇所で分断されて、前記第１分断部及び前記第２分断部を近接又は離間させるように弾性変形可能とされ、前記カバー本体が、前記第１分断部と前記第２分断部とを離間させるように弾性変形して、前記チューブを前記第１分断部と前記第２分断部との間を通過させ得るように構成されるとともに、前記カバー本体が、前記第１分断部を前記カバー本体の径方向に貫通する複数の第１切欠部と、前記第２分断部を前記カバー本体の径方向に貫通する複数の第２切欠部とを有し、前記チューブに外嵌されたときに前記複数の第１切欠部及び前記複数の第２切欠部を介して前記チューブの一部を露出させることができるように構成され、前記複数の第１切欠部と前記複数の第２切欠部とが、前記カバー本体の軸心方向に延びる周方向中間線を挟んで対称に設けられているものである。
【０００９】
この構成によれば、前記チューブへの前記帯電防止カバーの着脱に際し、前記第１分断部と前記第２分断部との間を広げるように前記カバー本体を弾性変形させて、前記チューブに対しその一方から被せる又は外すことが可能となる。したがって、前記チューブが工場等の所定位置に設置前の既存のチューブであれ設置済みの既存のチューブであれ、前記帯電防止カバーを前記チューブに着脱しやすくなる。よって、前記チューブへの前記帯電防止カバーの着脱の容易化を図ることができる。
【００１０】
また、前記チューブへの前記帯電防止カバーの着脱のために前記カバー本体の弾性変形を利用するので、前記帯電防止カバーを、前記カバー本体の内径と略同一の外径を有する前記チューブに対して着脱するだけでなく、前記カバー本体の内径よりも大きな外径を有する太いチューブに対しても所定の許容範囲内で着脱することが可能となる。したがって、前記帯電防止カバーを、所定の外径を有する一種類のチューブではなく、異なる外径を有する複数のチューブに使用することができる。
【００１１】
さらに、前記チューブへの前記帯電防止カバーの取付後、前記チューブを前記カバー本体で比較的途切れることなく広範囲にわたって覆うことが可能となる。しかも、前記チューブ２が前記太いチューブであるためにその全周を前記カバー本体で覆うことができない場合でも、前記チューブの必要箇所を覆うように前記カバー本体を前記チューブに対して相対回動させ、これにより前記チューブの設置状況及び流体の流量等に起因する前記流体の偏りが前記チューブ内で生じたとしても、前記チューブ２の除電を確実に行うことが可能となる。したがって、前記帯電防止カバーを用いた前記チューブの帯電防止の確実性を高めることができる。
【００１２】
また、前記カバー本体に前記複数の切欠部を設けたので、前記帯電防止カバーに屈曲性をもたせることが可能となる。したがって、例えば前記チューブが曲げられた状態で工場等の所定位置に設置されている既存のチューブであったとしても、前記帯電防止カバーを前記チューブに合わせて屈曲させながら容易に取り付けることができる。
【００１３】
しかも、前記チューブを前記帯電防止カバーで覆ったときに、前記複数の切欠部を介して透明又は半透明の前記チューブの一部を露出させることが可能となる。したがって、前記チューブを前記帯電防止カバーで覆った後、前記複数の切欠部を利用して前記チューブ内の状態（例えば、前記絶縁流体の詰まり具合又は流れ方向）を視認することができる。
【００１４】
請求項２に係る発明は、請求項１に記載の帯電防止カバーにおいて、前記カバー本体が、前記カバー本体の径方向に貫通する複数の貫通孔を有し、前記チューブに外嵌されたときに前記複数の貫通孔を介して前記チューブの一部を露出させることができるように構成されているものである。
【００１５】
この構成によれば、前記チューブを前記帯電防止カバーで覆ったときに、前記複数の貫通孔を介して透明又は半透明の前記チューブの一部を露出させることが可能となる。したがって、前記チューブを前記帯電防止カバーで覆った後、前記複数の貫通孔を利用して前記チューブ内の状態を視認することができる。よって、前記帯電防止カバーの使用時における前記チューブの内部の視認性を高めることができる。
【００１６】
請求項３に係る発明は、請求項１又は請求項２に記載の帯電防止カバーにおいて、前記カバー本体が、前記第１分断部と前記第２分断部とを重なり合わせた状態で筒状に形成されているものである。
【００１７】
この構成によれば、前記カバー本体が弾性変形によりとり得る内径（内周側の径方向幅）の変化範囲を拡大させることが可能となる。したがって、前記帯電防止カバーを、異なる外径を有するさらに多くの種類のチューブに使用することができる。
【００１８】
請求項４に係る発明は、請求項１から請求項３のいずれか一項に記載の帯電防止カバーにおいて、前記複数の切欠部のうちの少なくとも一つの切欠部の閉塞部に、アール加工が施されているものである。
【００１９】
この構成によれば、前記カバー本体における前記閉塞部近傍に、アース線と接続される銅線等の金属線を巻付可能な巻付部分を少なくも一つ形成することができる。そして、前記金属線を前記巻付部分に巻き付けた場合に、前記金属線がこれと接触する前記閉塞部を傷つけるのを防止して、前記帯電保護カバーを破損しにくくすることができる。
【００２０】
請求項５に係る発明は、請求項１から請求項４のいずれか一項に記載の帯電防止カバーにおいて、前記複数の切欠部のそれぞれの開口縁に、面取り加工が施されているものである。
【００２１】
この構成によれば、前記帯電防止カバーを前記チューブに対して着脱する際などに、前記帯カバー本体と前記チューブとの接触に起因する前記チューブの破損を生じにくくすることができる。
【発明の効果】
【００２２】
本発明によれば、絶縁性樹脂製チューブを覆う際に前記チューブの内部の視認性を確保しつつ前記チューブの帯電防止の確実性を高めることができ、かつ、前記チューブへの着脱の容易化を図ることができる帯電防止カバーを提供することができる。
【図面の簡単な説明】
【００２３】
【図１】本発明の一実施形態に係る帯電防止カバーの使用状態を示す図である。
【図２】図１の帯電防止カバーの正面図である。
【図３】図１の帯電防止カバーの側面図である。
【図４】図１の帯電防止カバーの平面図である。
【図５】図１の帯電防止カバーの底面図である。
【図６】図１の帯電防止カバーの展開図である。
【図７】図１の帯電防止カバーのチューブへの取付時の様子を示す側面図である。（ａ）はチューブへの取付直前の図であり、（ｂ）はチューブへの取付後の図であり、（ｃ）は（ｂ）に示すチューブよりも太いチューブへの取付後の図である。
【発明を実施するための形態】
【００２４】
本発明の好ましい実施形態について図面を参照しつつ説明する。
【００２５】
図１に、本発明の一実施形態に係る帯電防止カバー１の使用状態を示す。
【００２６】
図１に示すように、本実施形態に係る前記帯電防止カバー１は、帯電防止のために、例えば、有機溶剤等の可燃性流体（電気絶縁流体）を流通させるチューブ２に対して使用される。前記帯電防止カバー１は、前記チューブ２の外周を被覆可能なものであり、円筒状の前記チューブ２に合わせて筒状を呈するように形成されている。
【００２７】
前記チューブ２は、その内部の視認性を確保するために、実質的に透明又は半透明に形成された絶縁性樹脂製チューブである。前記絶縁性樹脂製チューブとしては、例えば、フッ素樹脂製チューブが挙げられる。本実施形態においては、前記チューブ２は、ＰＦＡ（パーフルオロアルコキシアルカン）等のフッ素樹脂を用いて製造されて、内部が見える透明又は半透明に形成されている。
【００２８】
図２に、前記帯電防止カバー１の正面図を示す。図３に、前記帯電防止カバー１の側面図を示す。図４に、前記帯電防止カバー１の平面図を示す。図５に、前記帯電防止カバー１の底面図を示す。図６に、前記帯電防止カバー１の展開図を示す。なお、説明の便宜上、図２は拡大して示している。
【００２９】
図１、図２、図３、図４、図５、図６に示すように、前記帯電防止カバー１は、カバー本体１０を備えている。前記カバー本体１０は、導電性物質を含む樹脂組成物から構成されている。前記樹脂製組成物としては、例えば、カーボンブラック、カーボン繊維、グラファイト、炭素繊維、金属微粉末、又はこれら２種以上の組み合わせ等の導電性物質を含むＰＰ（ポリプロピレン）が挙げられる。
【００３０】
前記カバー本体１０は、前記チューブ２に外嵌可能な筒状に形成されている。そして、前記カバー本体１０は、第１分断部１１及び第２分断部１２が形成されるように周方向の一箇所で分断され、前記第１分断部１１及び前記第２分断部１２を近接又は離間させるように弾性変形可能に構成されている。本実施形態において、前記カバー本体１０は、円筒状に形成されている。
【００３１】
前記第１分断部１１は、前記カバー本体１０の周方向一端側に配置されている。前記第１分断部１１には、前記カバー本体１０の軸心方向に延びる周方向一端面１３が形成されている。一方、前記第２分断部１２は、前記カバー本体１０の周方向他端側に配置されている。前記第２分断部１２には、前記カバー本体１０の軸心方向に延びる周方向他端面１４が形成されている。
【００３２】
そして、前記カバー本体１０は、前記第１分断部１１と前記第２分断部１２とを離間させるように弾性変形して、前記チューブ２を前記第１分断部１１と前記第２分断部１２との間を通過させ得るように構成されている。この弾性変形時、前記カバー本体１０の内径（内周側の径方向幅）が前記チューブ２の外径よりも大きく変化させられ得る。
【００３３】
詳しくは、前記カバー本体１０は、図３に示すように、前記第１分断部１１と前記第２分断部１２とが接触する程度に近接した通常形態をとり得るように構成されている。この通常形態は前記帯電防止カバー１が前記チューブ２に取り付けられていない場合の形態であり、この形態では前記カバー本体１０の内径が前記チューブ２の外径と比べて略同じ又は小さい内径となる。
【００３４】
また、前記カバー本体１０は、図７（ａ）に示すように、弾性変形によって、前記チューブ２が通過可能な空間１５を生じさせるべく、前記第１分断部１１と前記第２分断部１２とが離間した、側面視で円の一部を切り欠いたような変形形態をとり得るように構成されている。この変形形態は前記帯電防止カバー１が前記チューブ２に着脱される際の一時的な形態であり、この形態では前記カバー本体１０の内径が前記第１形態に比べて大きなものとなる。
【００３５】
このような構成において、前記帯電防止カバー１を前記チューブ２に対して使用するために取り付ける場合、まず、前記カバー本体１０を変形させるために前記帯電防止カバー１に外力を作用させる。これにより、前記帯電防止カバー１を図３に示す通常形態から図７（ａ）に示す変形形態に変化させて、前記第１分断部１１と前記第２分断部１２と間に前記チューブ２を通過させ得る前記空間１５を形成する。
【００３６】
次に、前記第１分断部１１と前記第２分断部１２との間に位置する前記空間１５から前記カバー本体１０内に向かって前記チューブ２を移動させる。その移動後、前記カバー本体１０が前記チューブ２を外嵌するように、前記カバー本体１０の弾性復元を進めさせる。その結果、図１及び図７（ｂ）に示すように、前記帯電防止カバー１を被覆形態に変化させて、前記チューブ２を前記カバー本体１０で覆って囲む状態を保持することができる。
【００３７】
一方、前記帯電防止カバー１を前記チューブ２から取り外す場合、前記カバー本体１０を変形させるために前記帯電防止カバー１に外力を作用させる。そして、前記帯電防止カバー１を被覆形態から変形形態に変化させて、前記第１分断部１１と前記第２分断部１２と間に位置する前記空間１５から前記カバー本体１０外に向かって前記チューブ２を移動させる。その結果、図３に示すように、前記帯電防止カバー１を通常形態に戻すことができる。
【００３８】
また、前記帯電防止カバー１において、前記カバー本体１０は、複数の切欠部を有している。前記複数の切欠部は、前記カバー本体１０が前記チューブ２に外嵌されたときに前記チューブ２の一部を露出させるためのものであり、前記第１分断部１１及び前記第２分断部１２の少なくとも一方を前記カバー本体１０の径方向に貫通するように設けられている。
【００３９】
本実施形態において、前記カバー本体１０は、前記複数の切欠部として、複数の第１切欠部１７・１７・・・を有している。本実施形態において、前記複数の第１切欠部１７・１７・・・は、前記第１分断部１１（前記周方向一端面１３）が切り欠かれることにより形成されている。
【００４０】
前記複数の第１切欠部１７・１７・・・は、前記カバー本体１０の軸心方向に所定間隔ごとに配置されている。詳しくは、前記複数の第１切欠部１７・１７・・・は、前記周方向一端面１３から前記カバー本体１０の周方向途中（中央付近）まで延びる同一形状の長孔状の切欠部であり、前記カバー本体１０の軸心方向に略均等間隔で配置されている。
【００４１】
本実施形態において、前記カバー本体１０は、前記複数の切欠部として、さらに複数の第２切欠部１８・１８・・・を有している。前記複数の第２切欠部１８・１８・・・は、前記第２分断部１２を前記カバー本体１０の径方向に貫通するように設けられている。本実施形態において、前記複数の第２切欠部１８・１８・・・は、前記第２分断部１２（前記周方向他端面１４）が切り欠かれることにより形成されている。
【００４２】
前記複数の第２切欠部１８・１８・・・は、前記カバー本体１０の軸心方向に所定間隔ごとに配置されている。詳しくは、前記複数の第２切欠部１８・１８・・・は、前記周方向他端面１４から前記カバー本体１０の周方向途中（中央付近）まで延びる同一形状の長孔状の切欠部であり、前記カバー本体１０の軸心方向に略均等間隔で配置されている。
【００４３】
本実施形態において、前記複数の第２切欠部１８・１８・・・は、前記複数の第１切欠部１７・１７・・・と略同一形状に形成されるとともに、前記複数の第１切欠部１７・１７・・・と同数設けられている。そして、前記複数の第２切欠部１８・１８・・・は、図６に示すように、展開時における前記カバー本体１０の短手方向の中心線１９を挟んで対称に配置されている。
【００４４】
以上のことから、前記帯電防止カバー１によれば、前記チューブ２への着脱に際し、前記第１分断部１１と前記第２分断部１２との間を広げるように前記カバー本体１０を弾性変形させて、前記チューブ２に対しその一方から被せる又は外すことが可能となる。したがって、前記チューブ２が工場等の所定位置に設置前の既存のチューブであれ設置済みの既存のチューブであれ、前記帯電防止カバー１を前記チューブ２に着脱しやすくなる。よって、前記チューブ２への前記帯電防止カバー１の着脱の容易化を図ることができる。
【００４５】
また、前記帯電防止カバー１によれば、前記チューブ２への着脱のために前記カバー本体１の弾性変形を利用するので、前記帯電防止カバー１を、通常形態時における前記カバー本体１０の内径と略同一の外径を有する前記チューブ２に対して着脱するだけでなく、図７（ｃ）に示すように、前記カバー本体１０の内径よりも大きな外径を有する太いチューブ２０に対しても所定の許容範囲内で着脱することが可能となる。したがって、前記帯電防止カバー１を、所定の外径を有する一種類のチューブではなく、異なる外径を有する複数のチューブ２・２０に使用することができる。
【００４６】
さらに、前記帯電防止カバー１によれば、前記チューブ２への取付後、前記チューブ２を前記カバー本体１０で比較的途切れることなく広範囲にわたって覆うことが可能となる。しかも、図７（ｃ）に示すように、前記チューブ２が前記太いチューブ２０であるためにその全周を前記カバー本体１０で覆うことができない場合でも、前記チューブ２の必要箇所を覆うように前記カバー本体１０を前記チューブ２に対して相対回動させ、これにより前記チューブ２の設置状況及び前記流体の流量等に起因する前記流体の偏りが前記チューブ２内で生じたとしても、前記チューブ２の除電を確実に行うことが可能となる。したがって、前記帯電防止カバー１を用いた前記チューブ２の帯電防止の確実性を高めることができる。
【００４７】
また、前記帯電防止カバー１によれば、前記カバー本体１０に前記複数の第１切欠部１７・１７・・・（本実施形態においては、さらに前記複数の第２切欠部１８・１８・・・）を設けたので、前記帯電防止カバー１に屈曲性をもたせることが可能となる。したがって、例えば前記チューブ２が曲げられた状態で工場等の所定位置に設置されている既存のチューブであったとしても、前記帯電防止カバー１を前記チューブ２に合わせて屈曲させながら容易に取り付けることができる。
【００４８】
しかも、前記チューブ２を前記帯電防止カバー１で覆ったときに、前記複数の第１切欠部１７・１７・・・（本実施形態においては、さらに前記複数の第２切欠部１８・１８・・・）を介して透明又は半透明の前記チューブ２の一部を露出させることが可能となる。したがって、前記チューブ２を前記帯電防止カバー１で覆った後、前記複数の第１切欠部１７・１７・・・（前記複数の第２切欠部１８・１８・・・）を利用して前記チューブ２内の状態（例えば、前記絶縁流体の詰まり具合又は流れ方向）を視認することができる。
【００４９】
また、図１から図６に示すように、前記帯電防止カバー１において、前記カバー本体１０は、複数の貫通孔２１・２１・・・を有している。前記複数の貫通孔２１・２１・・・は、前記カバー本体１０が前記チューブ２に外嵌されたときに前記チューブ２の一部を露出させるためのものであり、前記カバー本体１０をその径方向に貫通するように設けられている。
【００５０】
本実施形態において、前記複数の貫通孔２１・２１・・・は、前記カバー本体１０の軸心方向に所定間隔ごとに配置されている。詳しくは、前記複数の貫通孔２１・２１・・・は、前記周方向一端面１３と前記周方向他端面１４との間で前記カバー本体１０の周方向に延びる同一形状の長孔状の貫通孔であり、前記カバー本体１０の軸心方向に略均等間隔で配置されている。
【００５１】
そして、前記複数の貫通孔２１・２１・・・は、前記複数の第１切欠部１７・１７・・・及び前記複数の第２切欠部１８・１８・・・と隣り合うように設けられ、これらの切欠部１７・１８と軸心方向に関して交互に配置されている。前記貫通孔２１は、前記第１切欠部１７及び前記第２切欠部１８と比べて略同じ又は小さい軸心方向幅を有するように形成されている。
【００５２】
このような構成により、前記チューブ２を前記帯電防止カバー１で覆ったときに、前記複数の貫通孔２１・２１・・・を介して透明又は半透明の前記チューブの一部を露出させることが可能となる。したがって、前記チューブ２を前記帯電防止カバー１で覆った後、前記チューブ２内の状態（例えば、前記絶縁流体の詰まり具合又は流れ方向）を前記複数の貫通孔２１・２１・・・からも視認することができる。よって、前記帯電防止カバー１の使用時における前記チューブ２の内部の視認性を高めることができる。
【００５３】
ここで、前記複数の貫通孔２１・２１・・・は、前記チューブ２に対する前記帯電防止カバー１の取付・帯電防止に関する不良を起こさない範囲で、これらの貫通孔２１・２１・・・及び前記複数の第１切欠部１７・１７・・・（及び、前記複数の第２切欠部１８・１８・・・）の各々の軸心方向幅を足し合わせた合計が、前記カバー本体１０の軸心方向幅の３０％以上になるように設定するのが好ましい。
【００５４】
また、図３に示すように、前記帯電防止カバー１において、前記カバー本体１０は、前記第１分断部１１と前記第２分断部１２とを重なり合わせた状態で筒状に形成されている。本実施形態においては、前記帯電防止カバー１が通常形態をとる場合、前記第２分断部１２が前記第１分断部１１の径方向内方に配置されて、前記第１分断部１１と前記第２分断部１２とが重なり合う重合部分２５が前記カバー本体１の周方向の一部に設けられる。
【００５５】
そして、前記帯電防止カバー１が図３に示す通常形態から図７（ａ）に示す変形形態へ変化する際に、前記カバー本体１０が、弾性変形によって、前記第１分断部１１と前記第２分断部１２とを離間させるように前記カバー本体１０の周方向に相対移動させて、前記第１分断部１１と前記第２分断部１２と間に前記チューブ２を通過させ得る間隔を有する前記空間１５を確保することができるようになっている。
【００５６】
このような構成により、前記カバー本体１０が弾性変形に応じてとり得る内径（内周側の径方向幅）の変化範囲を拡大させることが可能となる。したがって、前記帯電防止カバー１を、異なる外径を有するさらに多くの種類のチューブに使用することができる。
【００５７】
また、図１、図４、図６に示すように、前記帯電防止カバー１において、前記複数の第１切欠部１７・１７・・・及び前記複数の第２切欠部１８・１８・・・のうちの少なくとも一つの切欠部の閉塞部に、アール加工が施されている。本実施形態においては、前記複数の第１切欠部１７・１７・・・及び前記複数の第２切欠部１８・１８・・・のそれぞれの閉塞部２７・２８に、アール加工が施されている。
【００５８】
前記第１切欠部１７の閉塞部２７と前記第２切欠部１８の閉塞部２８とは、図６に示すように、展開時における前記カバー本体１０の短手方向の中心線１９を挟んで対称な形状に形成されている。具体的には、前記第１切欠部１７の閉塞部２７は、前記第２分断部１２側に向かって凸となる湾曲（円弧）形状に形成されている。前記第２切欠部１８の閉塞部２８は、前記第１分断部１１側に向かって凸となる湾曲（円弧）形状に形成されている。
【００５９】
このような構成により、前記カバー本体における前記閉塞部２７・２８間（近傍）に、アース線と接続される銅線等の金属線３０を巻付可能な巻付部分３１を少なくも一つ形成することができる（図１参照）。そして、前記金属線３０を前記巻付部分３１に巻き付けた場合に、前記金属線３０がこれと接触する前記閉塞部２７・２８を傷つけるのを防止して、前記帯電防止カバー１を破損しにくくすることができる。
【００６０】
また、図１、図３に示すように、前記帯電防止カバー１において、前記複数の第１切欠部１７・１７・・・及び前記複数の第２切欠部１８・１８・・・のそれぞれの開口縁３３・３４に、面取り加工が施されている。すなわち、前記周方向一端面１３及び他端面１４の周方向他端面に位置する前記開口縁３３・３４が面取りされている。
【００６１】
このような構成により、前記帯電防止カバー１を前記チューブ２に対して着脱する際などに、前記カバー本体１０と前記チューブ２との接触に起因する前記チューブ２の破損を生じにくくすることができる。
【００６２】
なお、本発明に係る複数の切欠部は、本実施形態においては前記第１分断部１１及び前記第２分断部１２のそれぞれに形成された前記複数の第１切欠部１７・１７・・・及び前記複数の第２切欠部１８・１８・・・としているが、第１分断部及び第２分断部の一方のみに形成された複数の切欠部としてもよい。
【００６３】
また、本発明に係る複数の切欠部は、長孔状の切欠部である前記複数の第１切欠部１７・１７・・・及び前記複数の第２切欠部１８・１８・・・としているが、カバー本体がチューブに外嵌されたときに前記複数の切欠部を介して前記チューブの一部を露出させることができるものであればよく、例えば、前記カバー本体の周方向に関して本実施形態のものよりも短い円弧状の複数の切欠部としてもよい。
【００６４】
本発明に係る複数の切欠部は、本実施形態においては略同一形状である前記複数の第１切欠部１７・１７・・・及び前記複数の第２切欠部１８・１８・・・としているが、これに限定されるものではなく、互いに異なる形状を有する複数の切欠部としてもよいし、所定形状を有する一群の切欠部とそれに対し異なる形状を有する他の切欠部とを含む複数の切欠部としてもよい。
【００６５】
また、本発明に係る複数の貫通孔は、長孔状の貫通孔である前記複数の貫通孔２１・２１・・・としているが、カバー本体がチューブに外嵌されたときに前記複数の貫通孔を介して前記チューブの一部を露出させることができるものであればよく、例えば、前記カバー本体の周方向に関して本実施形態のものよりも短い形状の複数の貫通孔であってもよい。
【００６６】
本発明に係る複数の貫通孔は、本実施形態においては略同一形状である前記複数の貫通孔２１・２１・・・としているが、これに限定されるものではなく、例えば、互いに異なる形状を有する複数の貫通孔としてもよいし、所定形状を有する一群の貫通孔とそれに対し異なる形状を有する他の貫通孔とを含む複数の切欠部としてもよい。
【００６７】
また、本発明に係る切欠部の数は、本実施形態の数（９個）に限定するものではなく、チューブの内部の視認性を考慮して任意の数としてよい。本発明に係る貫通孔の数は、本実施形態の数（１０個）に限定するものではなく、チューブの内部の視認に関する必要性に応じて任意の数としてよい。
【符号の説明】
【００６８】
１    帯電防止カバー
２    チューブ
１０  カバー本体
１１  第１分断部
１２  第２分断部
１７  第１切欠部
１８  第２切欠部
２０  太いチューブ
２１  貫通孔
２７  第１切欠部の閉塞部
２８  第２切欠部の閉塞部
３３  第１切欠部の開口縁
３４  第２切欠部の開口縁
【図１】
0006347669.tif 000002
【図２】
0006347669.tif 000003
【図３】
0006347669.tif 000004
【図４】
0006347669.tif 000005
【図５】
0006347669.tif 000006
【図６】
0006347669.tif 000007
【図７】
0006347669.tif 000008